(57)【特許請求の範囲】
【請求項１】
地上波放送の送信系統に並列に設けられ、番組情報信号を電力増幅するとともに互いに独立して電源が制御されるｎ個の電力増幅器と、これらｎ個の電力増幅器の出力を合成する合成器と、この合成器の出力を放送信号として送信する送信手段と、制御回線を介して供給される制御信号に応じて前記ｎ個の電力増幅器の電源のオン／オフを制御するコントロ−ラとを有する放送送信装置と、
この放送送信装置からの放送信号を受信する受信手段と、この受信手段により得られた前記放送信号の信号品質の劣化を監視する監視手段と、この監視手段の検出に応じて、前記放送送信装置のｎ個の電力増幅器の電源を制御する制御信号を発生する手段と、この制御信号を制御回線を介して前記放送送信装置に供給する手段とを有する放送監視局とを具備し、
前記放送監視局は、信号品質の劣化検出に応じて前記電力増幅器の電源をオン／オフ切替を行う第１の制御信号を前記制御回線を介して放送送信装置に供給する第１の制御信号発生手段と、
信号品質の劣化回復の検出に応じて前記電力増幅器の電源をオン／オフ状態に維持する第２の制御信号を前記制御回線を介して放送送信装置に供給する第２の制御信号発生手段とを有し、
前記放送送信装置は、前記第１の制御信号に基づき前記ｎ個の電力増幅器のうち第１の電力増幅器の電源をオフして放送信号を送信し、前記第１の電力増幅器の電源がオフになった時点から一定時間内に前記第２の制御信号が供給されるか否かの判定を行い、否の場合、前記第１の電力増幅器の電源をオンにし、前記第１の電力増幅器の次となる第２の電力増幅器の電源をオンからオフにして放送信号を送信する処理を順次実行する第１の電源制御手段と、
前記第１の電源制御手段により前記第１の電力増幅器の電源がオフになった時点から一定時間内に前記第２の制御信号が供給された場合に、その時点で電源がオン状態にある電力増幅器をオン状態に維持し、電源がオフ状態にある第１の電力増幅器をオフ状態に維持する第２の電源制御手段と、
前記第１の電源制御手段により電源をオフにする第２の電力増幅器が（ｎ＋１）番目の電力増幅器となる場合に、電源オン／オフ切替処理を終了する第３の電源制御手段とを有したことを特徴とする地上波放送制御システム。
【発明の詳細な説明】
【０００１】
【発明の属する技術分野】
この発明は、地上デジタル放送システムに用いられ、その地上デジタル放送送信局と放送監視局とを制御回線で接続し、放送監視局から地上デジタル放送送信局に対し送出制御を行なえるようにした地上波放送遠隔制御システムと、放送信号の出力レベルを補償するようにした地上波放送送信装置に関する。
【０００２】
【従来の技術】
近年、研究開発が盛んに行なわれている地上デジタル放送システムでは、地上デジタル放送送信局を無人で運用し、放送監視局により離れた場所から遠隔制御を行なっている。
【０００３】
図５は、このような従来の地上デジタル放送遠隔制御システムの概略構成を示すブロック構成図である。
この図５のシステムは、放送波をアンテナ１１により送出する地上デジタル放送送信局１と、この地上デジタル放送送信局１で送出された放送波をアンテナ２１で受信して、放送内容の確認を行なう放送監視局２とを備え、地上デジタル放送送信局１と放送監視局２との間を制御回線３により接続し、放送監視局２から地上デジタル放送送信局１に対し制御回線３を介して送出制御を行なうシステムである。なお、地上デジタル放送送信局１は例えば山間部の頂上付近に設置され、放送監視局２は都市部等の平地部に設置される。
【０００４】
地上デジタル放送送信局１において、放送すべき番組情報信号はアップコンバータ１２により無線周波数（ＲＦ）帯に周波数変換されて電力増幅部１３に供給される。電力増幅部１３は、ｎ個の電力増幅器（ＰＡ＃１〜ＰＡ＃ｎ）を備え、各電力増幅器（ＰＡ＃１〜ＰＡ＃ｎ）を並列に接続している。そして、ＲＦ信号をｎ個の電力増幅器（ＰＡ＃１〜ＰＡ＃ｎ）により同一利得で電力増幅した後、合成器１４に出力する。
【０００５】
電力増幅部１３のｎ個の電力増幅器（ＰＡ＃１〜ＰＡ＃ｎ）の出力は、合成器１４で合成され、帯域フィルタ（ＢＰＦ）１５で不要波成分を除去された後、放送波としてアンテナ１１を介して送信される。
【０００６】
一方、放送監視局２からの制御コマンドは、制御回線３を介してメインコントローラ１６に受信される。メインコントローラ１６は、受信した制御コマンドに基づいて、アップコンバータ１２及び電力増幅部１３の制御を行なっている。
【０００７】
ところで、上記構成による遠隔制御システムでは、例えば電力増幅部１３の障害発生等により、送信電波の信号品質が劣化する可能性がある。このような場合、放送監視局２で放送波を受信し、信号品質の劣化を検出した後、地上デジタル放送送信局１に制御コマンドを送出して電力増幅部１３の電源をオフさせるか、もしくは保守員が地上デジタル放送送信局１まで足を運んで各電力増幅器（ＰＡ＃１〜ＰＡ＃ｎ）をチェックすることで対応が可能である。
【０００８】
しかしながら、前者の場合、電力増幅器（ＰＡ＃１〜ＰＡ＃ｎ）全体の電源をオフさせなければならないため、放送を一時中断させる必要があり、後者の場合、各電力増幅器（ＰＡ＃１〜ＰＡ＃ｎ）を１個ずつ調べなければいけないという面倒な作業が必要となる。また、どちらとも最終的には、放送中断及び保守員の手作業が必要となる。
【０００９】
【発明が解決しようとする課題】
以上のように従来考えられている地上波放送遠隔制御システムでは、地上波放送送信局における電力増幅器に障害が発生した際に、放送を中断させなければならず、また、保守員による復旧作業が必要となり、障害に迅速に対処すべき有効な手段がなかった。
【００１０】
この発明の第１の目的は、地上波放送送信局における電力増幅器に障害が発生した際に、その障害の発生した電力増幅器のみを放送監視局による遠隔制御で停止させることが可能な地上波放送遠隔制御システムを提供することにある。
また、この発明の第２の目的は、電力増幅器に障害が発生した際に、その障害の発生した電力増幅器のみを停止させ、残りの電力増幅器で放送を継続可能な地上波放送送信装置を提供することにある。
【００１１】
【課題を解決するための手段】
上記第１の目的を達成するために、この発明に係る地上波放送遠隔制御システムは、地上波放送の放送信号を送出する地上波放送送信局と、この地上波放送送信局で送出された放送信号を受信して、放送信号の内容確認を行なう放送監視局とを備え、地上波放送送信局と放送監視局との間を制御回線により接続し、放送監視局から地上波放送送信局に対し制御回線を介して送出制御を行なう地上波地上波放送遠隔制御システムであって、地上波放送送信局は、地上波放送の送信系統に並列に設けられ、互いに独立して制御可能でかつ番組情報信号を電力増幅する複数の電力増幅手段と、これら複数の電力増幅手段の出力を合成し放送信号として送信する合成手段と、これら複数の電力増幅手段に対し各々独立して接続され、放送監視局から制御回線を介して送出される制御情報に基づいて選択的に送出制御を行なう電力増幅制御手段とを備え、放送監視局は、受信した放送信号の異常を監視する異常監視手段と、この異常監視手段による異常監視結果に基づいて、地上波放送送信局に対し制御回線を介して制御情報を送信する制御情報送信手段とを備えるようにしたものである。
【００１２】
なお、地上波放送送信局の電力増幅制御手段は、放送監視局から制御回線を介して送出される制御情報に基づいて、複数の電力増幅手段に対し順次電源のオン／オフ切替を行ない、これに対し放送監視局の異常監視手段は、受信した放送信号の信号品質を監視し、制御情報送信手段は、異常監視手段による異常監視結果から信号品質が正常レベルに回復した時点で、地上波放送送信局の電力増幅制御手段に対し障害が発生した電力増幅手段の電源オフを維持させるように電力増幅停止情報を制御回線を介して送出するようにしている。
【００１３】
この構成によれば、地上波放送送信局において、送信系統に複数の電力増幅器が並列に設けられ、しかも複数の電力増幅器各々の電源のオン／オフ切替制御が互いに独立してできるように構成されており、複数の電力増幅器の少なくとも１つに障害が発生すると、送信される放送信号に品質劣化が発生し、この放送信号が放送監視局で受信されて信号品質の劣化が確認される。ここで、信号品質の劣化が確認された場合に、異常な電力増幅器を特定するために、地上波放送送信局に対し複数の電力増幅器の電源オン／オフ切替を順次行なうように制御情報を送出し、信号品質が正常レベルまで回復した時点で、障害が発生した電力増幅器を特定でき、地上波放送送信局に対し障害が発生した電力増幅器の電源をオフ状態に維持させるような電力増幅停止情報が制御回線を介して送出される。
【００１４】
このため、地上波放送送信局における電力増幅器に障害が発生した際に、その都度保守員が地上波放送送信局に足を運んで各電力増幅器の異常を調べる必要がなく、放送監視局にて障害が発生した電力増幅器を特定することができ、放送監視局からの遠隔制御により簡単かつ迅速に障害の発生した電力増幅器のみを停止させることができる。
【００１５】
さらに、この発明の地上波放送遠隔制御システムは、地上波放送の放送信号を送出し、かつ送出された放送信号を受信可能な地上波放送送信局と、この地上波放送送信局と制御回線を介して接続され、地上波放送送信局に対し制御回線を介して送出制御を行なう放送監視局とを具備する地上波放送遠隔制御システムであって、地上波放送送信局は、地上波放送の送信系統に並列に設けられ、互いに独立して制御可能でかつ番組情報信号を電力増幅する複数の電力増幅手段と、これら複数の電力増幅手段の出力を合成し放送信号として送信する合成手段と、送出された放送信号を受信し、この受信した放送信号の異常を監視する異常監視手段と、複数の電力増幅手段に対し各々独立して接続され、放送監視局から制御回線を介して送出される制御情報に基づいて複数の電力増幅手段に対し選択的に送出制御を行なうとともに、異常監視手段による異常監視結果を制御回線を介して放送監視局に通知する送信局側制御手段とを備え、放送監視局は、地上波放送送信局から異常監視結果を受信する異常受信手段と、この異常受信手段により受信した異常監視結果に基づいて異常の状態を判定する異常判定手段と、この異常判定手段の判定結果に基づいて、地上波放送送信局に対し制御回線を介して制御情報を送信する制御情報送信手段とを備えるようにしたものである。
【００１６】
なお、地上波放送送信局の前記送信局側制御手段では、放送監視局から制御回線を介して送出される制御情報に基づいて、複数の電力増幅手段に対し順次電源のオン／オフ切替を行ない、地上波放送送信局の異常監視手段では、受信した放送信号の信号品質を監視し、放送監視局の制御情報送信手段では、異常受信手段により受信された異常監視結果から信号品質が正常レベルに回復した時点で、地上波放送送信局の送信局側制御手段に対し異常が発生した電力増幅手段の電源オフを維持させるように電力増幅停止情報を制御回線を介して送出する。
【００１７】
このような構成によれば、地上波放送送信局に送出された放送信号を受信して放送信号の信号品質を監視する機能を持たせることで、電力増幅器に異常が発生すると、その異常が地上波放送送信局内で検出され、この検出結果が地上波放送送信局から放送監視局に通知される。そして、この通知を受けて放送監視局により異常の状態が判定され、この判定結果に基づいて地上波放送送信局内の複数の電力増幅器が順次電源のオン／オフ切替がなされ、信号品質が正常レベルまで回復した時点で異常な電力増幅器がオフ状態に維持される。このため、放送監視局における設備の簡素化を図ることができ、しかも放送監視局からの遠隔制御により簡単かつ迅速に障害の発生した電力増幅器のみを停止させることができる。
【００１８】
一方、上記第２の目的を達成するために、この発明の地上波放送送信装置は、地上波放送の放送信号を送出する地上波放送送信装置において、地上波放送の送信系統に並列に設けられ、互いに独立して制御可能でかつ番組情報信号を電力増幅する複数の電力増幅手段と、これら複数の電力増幅手段の出力を合成し放送信号として送信する合成手段と、複数の電力増幅手段に対し各々独立して接続され、別途提供される制御情報に基づいて複数の電力増幅手段に対し選択的に送出制御を行なう電力増幅制御手段と、電力増幅制御手段により送出制御が行なわれた複数の電力増幅手段の出力レベルもしくは合成手段の出力レベルを検出し、この検出結果に基づいて複数の電力増幅手段の電力増幅レベルを制御する出力レベル補償手段とを備えるようにしたものである。
【００１９】
なお、上記電力増幅制御手段では、別途提供される制御情報に基づいて、複数の電力増幅手段に対し順次電源のオン／オフ切替を行ない、上記出力レベル補償手段では、複数の電力増幅手段の各出力もしくは合成手段の出力が基準レベルよりも低下しているか否かを検出し、低下している場合にこの低下量分だけ電源がオン状態にある複数の電力増幅手段の電力増幅レベルを補償するようにしている。
【００２０】
この構成によれば、電力増幅器の障害発生に伴い、複数の電力増幅器の電源のオン／オフ切替がなされて、送信すべき放送信号の出力レベルが基準レベルより低下した場合に、この低下量が検出され、低下した分だけ電源がオン状態にある複数の電力増幅器それぞれの出力が補償されることになる。
【００２１】
このため、電力増幅器に障害が発生し、複数の電力増幅器のオン／オフ切替による電力増幅レベルの低下が生じた場合に、保守員の復旧操作を待たずに迅速かつ自動的に復旧させて電力増幅レベルを通常時と同じレベルに保持することができ、これにより放送には全く支障を与えることなく、残りの電力増幅器で放送を継続できる。
【００２２】
【発明の実施の形態】
以下、この発明の実施形態について図面を参照して詳細に説明する。
（第１の実施形態）
図１は、この発明に係わる地上デジタル放送遠隔制御システムの概略構成を示すブロック構成図である。
図１に示すシステムは、放送波をアンテナ１１０により送出する地上デジタル放送送信局１００Ａと、この地上デジタル放送送信局１００Ａで送出された放送波をアンテナ２１０で受信して、放送内容の確認を行なう放送監視局２００Ａとを備え、地上デジタル放送送信局１００Ａと放送監視局２００Ａとの間を制御回線３００により接続し、放送監視局２００Ａから地上デジタル放送送信局１００Ａに対し制御回線３００を介して送出制御を行なうシステムである。なお、地上デジタル放送送信局１００Ａは、例えば山間部の頂上付近に設置され、放送監視局２００Ａは、例えば都市部等といった平地部に設置されることになる。また、制御回線３００としては、電話回線等が挙げられる。
【００２３】
地上デジタル放送送信局１００Ａにおいて、放送すべき番組情報信号はアップコンバータ１２０により無線周波数（ＲＦ）帯に周波数変換されてｎ個の電力増幅器１３１〜１３ｎにそれぞれ供給される。ｎ個の電力増幅部１３１〜１３ｎは、互いに並列に接続され、かつ互いに独立して電源のオン／オフ切替が可能であり、ＲＦ信号を同一利得で電力増幅した後、合成器１４０に出力する。
【００２４】
電力増幅器１３１〜１３ｎの各出力は、合成器１４０で合成され、帯域フィルタ（ＢＰＦ）１５０で不要波成分を除去された後、放送波としてアンテナ１１０を介して送信される。
【００２５】
一方、放送監視局２００Ａからの制御コマンドは、制御回線３００を介してメインコントローラ１６０Ａに受信される。メインコントローラ１６０Ａは、アップコンバータ１２０及びｎ個の電力増幅器１３１〜１３ｎにそれぞれ１対１で接続され、放送監視局２００Ａからの制御コマンドに基づいて選択的に電源のオン／オフ切替を行なうといった送出制御を行なう。なお、メインコントローラ１６０Ａの出力端＃１には電力増幅器１３１が接続され、出力端＃ｎには接続順序が最後となる電力増幅器１３ｎが接続される。
【００２６】
ところで、この実施形態の放送監視局２００Ａには、異常監視機能と、制御情報送信機能とを備えるようにしている。異常監視機能は、アンテナ２１０で受信した放送波の信号品質を監視するものである。制御情報送信機能は、異常監視機能による信号品質の劣化によって、地上デジタル放送送信局１００Ａに対し制御回線３００を介して制御コマンドを送信するものである。また、信号品質が正常レベルまで回復した時点で、地上デジタル放送送信局１００Ａのメインコントローラ１６０Ａに対し障害の発生した電力増幅器１３１〜１３ｎのオフ状態を維持させるような電力増幅停止コマンドを制御回線３００を介して送出する。
【００２７】
また、この実施形態は、地上デジタル放送送信局１００Ａにおいて、メインコントローラ１６０Ａの電力増幅器１３１〜１３ｎの電源オン／オフ切替制御時に生じる合成器１４０の出力電力レベルの低下分を補償するために、ＡＧＣ（オート・ゲイン・コントローラ）１７０を設けてある。
【００２８】
ＡＧＣ１７０は、ＢＰＦ１５０の出力レベルを検出し、この検出結果から出力が通常の基準レベルより低下している場合に、電源がオン状態にある電力増幅器１３１〜１３ｎの電力増幅レベルを低下量分だけ補償するように、アップコンバータ１２０に対し制御信号を与える。すると、アップコンバータ１２０の出力は、ＡＧＣ１７０から与えられた制御信号分だけ出力利得が上がることになる。
【００２９】
次に、上記構成によるシステムの障害発生時の動作について説明する。
図２は、放送監視局２００Ａにおける異常判定・対応制御の手順及び内容を示すフローチャートである。
【００３０】
すなわち、放送監視局２００Ａは、アンテナ２１０で受信した地上デジタル放送送信局１００Ａからの放送波の信号品質の劣化を検出すると（ステップ２ａ）、この信号品質の劣化が回復するまでモニタし（ステップ２ｂ）、信号品質が劣化している期間は（ＹＥＳ）、地上デジタル放送送信局１００Ａに対し制御回線３００を介して電力増幅器１３１〜１３ｎの電源をオン／オフ切替するための制御コマンドを送出する（ステップ２ｃ）。そして、ステップ２ｂにおいて、信号品質が正常レベルに回復した場合に（ＮＯ）、その時に電源オフしていた例えば電力増幅器１３４に異常が発生していたと判断でき、地上デジタル放送送信局１００Ａに対し制御回線３００を介して電力増幅器１３４の電源オフを維持するための電力増幅停止コマンドを送出する（ステップ２ｄ）。
【００３１】
これに対し地上デジタル放送送信局１００Ａのメインコントローラ１６０Ａでは、次のような対応制御が行なわれている。図３はその制御手順及び制御内容を示すフローチャートである。
【００３２】
すなわち、メインコントローラ１６０Ａは、放送監視局２００Ａから制御回線３００を介して電源オン／オフ切替の制御コマンドを受信すると、初期設定処理つまり電力増幅器１３１の指定を行ない（ステップ３ａ）、この電力増幅器１３１の電源をオフし（ステップ３ｂ）、放送監視局２００Ａからの電力増幅停止コマンドが到来するか否かの監視を行なう（ステップ３ｃ）。一定時間経過して電力増幅停止コマンドが受信されず、また制御コマンドを受信した場合に（ＮＯ）、メインコントローラ１６０Ａは、電力増幅器１３１の電源をオンに切り替え（ステップ３ｄ）、次の電力増幅器１３２の指定を行ない（ステップ３ｅ）、この電力増幅器１３２から電力増幅器１３ｎに対し、ステップ３ｂ乃至ステップ３ｅの処理を順次繰り返し実行する。また、メインコントローラ１６０Ａは、ステップ３ｆにおいて、電力増幅器１３（ｎ＋１）になった時点で（ＹＥＳ）、電源オン／オフ切替処理を終了する。
【００３３】
ところで、メインコントローラ１６０Ａは、ステップ３ｃにおいて、放送監視局２００Ａからの電力増幅停止コマンドを受信した場合に（ＹＥＳ）、この受信した時点でオフ状態にある例えば電力増幅器１３４のオフ状態をそのまま維持する（ステップ３ｇ）。
【００３４】
以上のように上記実施形態によれば、地上デジタル放送送信局１００Ａにおいて、放送すべき番組情報信号を処理する送信系統にｎ個の電力増幅器１３１〜１３ｎが並列に設けられ、しかも電力増幅器１３１〜１３ｎ各々がメインコントローラ１６０Ａに１対１で接続されて電源のオン／オフ切替制御が互いに独立してできるように構成されており、電力増幅器１３１〜１３ｎの少なくとも１つに障害が発生すると、送信される放送波の信号品質の劣化が生じ、この放送波が放送監視局２００Ａで受信されて信号品質が確認される。ここで、信号品質に劣化が有る場合に、異常な電力増幅器１３１〜１３ｎを特定するために、地上デジタル放送送信局１００Ａに対し電力増幅器１３１〜１３ｎの電源オン／オフ切替を順次行なうように制御コマンドを制御回線３００を介して送出し、信号品質が正常レベルにまで回復した時点で、障害が発生した例えば電力増幅器１３４を特定でき、地上デジタル放送送信局１００Ａに対し障害が発生した電力増幅器１３４の電源をオフ状態に維持させるような電力増幅停止コマンドが制御回線３００を介して送出される。
【００３５】
このため、地上デジタル放送送信局１００Ａにおける電力増幅器１３４に障害が発生した際に、その都度保守員が地上デジタル放送送信局１００Ａに足を運んで各電力増幅器１３１〜１３ｎの異常を調べる必要がなく、放送監視局２００Ａにて異常が発生した電力増幅器１３４を特定することができ、放送監視局２００Ａからの遠隔制御により簡単かつ迅速に障害が発生した電力増幅器１３４のみを停止させることができる。
【００３６】
また、上記実施形態によれば、例えば電力増幅器１３４の障害発生に伴い、電力増幅器１３１〜１３ｎの電源のオン／オフ切替がなされて、送信すべき放送波の出力電力レベルが通常の基準レベルより低下した場合に、ＡＧＣ１７０によりこの低下量が検出され、低下した分だけ電力増幅器１３４以外の電力増幅器１３１〜１３３，１３５〜１３ｎそれぞれの出力が補償されることになる。
【００３７】
このため、電力増幅器１３４に障害が発生し、電力増幅器１３１〜１３ｎの電源オン／オフ切替による電力増幅レベルの低下が生じた場合に、保守員の復旧操作を待たずに迅速かつ自動的に復旧させて電力増幅レベルを通常時と同じレベルに保持することができ、これにより放送中断といった不具合を全く生じさせることなく、残りの電力増幅器１３１〜１３３，１３５〜１３ｎで放送を継続できる。
【００３８】
なお、上記第１の実施形態におけるＡＧＣ１７０では、出力電力レベルの基準レベルからの低下分を補償するようにしているが、ＢＰＦ１５０の出力電力レベルを直接検出し、この検出した出力電力レベルに応じて電源オンされた電力増幅器１３１〜１３ｎの出力電力レベルを補償するようにしてもよい。また、ＡＧＣ１７０を、電力増幅器から直接出力電力レベルを取り込んで、出力補償するための制御信号を直接電力増幅器１３１〜１３ｎそれぞれに与えるように構成してもよい。
【００３９】
（第２の実施形態）
この発明の第２の実施形態は、放送監視局に備えられていた放送波の信号品質を監視する機能を地上デジタル放送送信局に設けるようにしたものである。
図４は、この第２の実施形態に係わる地上デジタル放送遠隔制御システムの概略構成を示すブロック構成図である。なお、図４において上記図１と同一部分には同一符号を付して詳しい説明は省略する。
【００４０】
すなわち、地上デジタル放送送信局１００Ｂには、アンテナ１８０と、受信モニタ１９０とが設けられている。アンテナ１１０から送出される放送波は、アンテナ１８０により受信され、この受信結果が受信モニタ１９０に供給される。受信モニタ１９０は、アンテナ１８０で受信した放送波の信号品質を監視し、この監視結果となる異常監視データをメインコントローラ１６０Ｂに出力する。メインコントローラ１６０Ｂは、受信モニタ１９０から出力される異常監視データを制御回線３００を介して放送監視局２００Ｂに出力する。
【００４１】
これに対し放送監視局２００Ｂは、異常受信機能と、異常判定機能と、制御情報送信機能とを備えている。異常受信機能は、地上デジタル放送送信局１００Ｂから送られた異常監視データを制御回線３００を通じて受信する。異常判定機能は、異常受信機能により受信された異常監視データをもとに、地上デジタル放送送信局１００Ｂ内のｎ個の電力増幅器１３１〜１３ｎの異常が発生したか否かを判定する。
【００４２】
制御情報送信機能は、上記異常判定機能によりｎ個の電力増幅器１３１〜１３ｎの異常が検出された場合に、地上デジタル放送送信局１００Ｂのメインコントローラ１６０Ｂに対し制御回線３００を介して制御コマンドを送信する。この制御コマンドを受信したメインコントローラ１６０Ｂは、ｎ個の電力増幅器１３１〜１３ｎの電源のオン／オフ切替を順次実行する。
【００４３】
そして、制御情報送信機能は、電力増幅器１３１〜１３ｎの電源のオン／オフ切替実行中に、上記異常判定機能により信号品質が正常レベルに回復したことが判定された時点で、地上デジタル放送送信局１００Ｂのメインコントローラ１６０Ｂに対し障害の発生した電力増幅器１３１〜１３ｎのオフ状態を維持させるような電力増幅停止コマンドを制御回線３００を介して送出する。
【００４４】
このように第２の実施形態であれば、地上デジタル放送送信局１００Ｂに、アンテナ１１０で送出された放送信号をアンテナ１８０で受信して放送波の信号品質を監視する受信モニタ１９０を設けることで、電力増幅器１３１〜１３ｎに異常が発生すると、その異常が受信モニタ１９０で検出され、この検出結果となる異常監視データが地上デジタル放送送信局１００Ｂから放送監視局２００Ｂに制御回線３００を介して送信される。そして、この異常監視データを受けて放送監視局２００Ｂにより異常の状態が判定され、この判定結果に基づいて地上デジタル放送送信局１００Ｂ内の電力増幅器１３１〜１３ｎが順次電源のオン／オフ切替がなされ、信号品質が正常レベルにまで回復した時点で例えば異常な電力増幅器１３３がオフ状態に維持される。
【００４５】
このため、上記第１の実施形態に比べると放送監視局２００Ｂにおける設備の簡素化を図ることができ、しかも放送監視局２００Ｂからの遠隔制御により簡単かつ迅速に障害の発生した電力増幅器１３３のみを停止させることができる。
【００４６】
（その他の実施形態）
この発明は上記各実施形態に限定されるものではない。例えば、上記各実施形態では、メインコントローラにより複数の電力増幅器の各電源のオン／オフ切替を順に行なう例について説明したが、この順番については必ずしも上記各実施形態と同じでなくてもよい。また、電源のオン／オフ切替以外にも障害が発生した電力増幅器が予め分かっている場合には、メインコントローラにより障害の発生した電力増幅器を直接切り離すようにしてもよい。また、電源のオン／オフ切替以外の例えば再起動といった手段を採るようにしてもよい。
【００４７】
また、この発明は、地上デジタル放送システムにおける送信局及び放送監視局のみならず、制御回線を用いて送信局の電力増幅器の制御を放送監視局で行なうようなシステムであれば、例えば地上アナログ放送の送信局及び放送監視局にも適用可能である。
その他、地上デジタル放送送信局の構成、放送監視局の機能、制御回線の種類、電力増幅器の制御手順及び方法等についても、この発明の要旨を逸脱しない範囲で種々変形して実施できる。
【００４８】
【発明の効果】
以上詳述したようにこの発明によれば、地上波放送送信局における電力増幅器に障害が発生した際に、その障害の発生した電力増幅器のみを放送監視局による遠隔制御で停止させることが可能な地上波放送遠隔制御システムを提供することができる。
また、この発明によれば、電力増幅器に障害が発生した際に、その障害の発生した電力増幅器のみを停止させ、残りの電力増幅器で放送を継続可能な地上波放送送信装置を提供することができる。
【図面の簡単な説明】
【図１】この発明に係る地上デジタル放送遠隔制御システムの一実施形態の概略構成を示すブロック構成図。
【図２】上記図１に示した放送監視局による障害発生時の異常判定・対応制御の手順及び内容を示すフローチャート。
【図３】上記図１に示した地上デジタル放送送信局のメインコントローラによる障害発生時の対応制御の手順及び内容を示すフローチャート。
【図４】この発明に係わる地上デジタル放送遠隔制御システムの第２の実施形態を示すブロック構成図。
【図５】従来の地上デジタル放送遠隔制御システムの概略構成を示すブロック構成図。
【符号の説明】
１，１００Ａ，１００Ｂ…地上デジタル放送送信局、
２，２００Ａ，２００Ｂ…放送監視局、
３，３００…制御回線、
１１，１１０，１８０，２１，２１０…アンテナ、
１２，１２０…アップコンバータ、
１３…電力増幅部、
１３１〜１３ｎ…電力増幅器、
１４，１４０…合成器、
１５，１５０…ＢＰＦ（帯域フィルタ）、
１６，１６０Ａ，１６０Ｂ…メインコントローラ、
１７０…ＡＧＣ（オート・ゲイン・コントローラ）、
１９０…受信モニタ。
【図１】
0004346200.tif 000002
【図２】
0004346200.tif 000003
【図３】
0004346200.tif 000004
【図４】
0004346200.tif 000005
【図５】
0004346200.tif 000006